(57)【要約】【課題】  遊技機の前扉前面に設けられたコントロールパネルの厚みにより、前扉の開放時に隣設の遊技機に対して干渉する問題を解決すること。【解決手段】  前扉２を蝶番４によって開閉可能に本体３に支持する遊技機１であって、前記蝶番４は前記前扉２を開閉する回転軸４１を前扉２側面部に配置しているので、前扉２は蝶番４の回転軸４１を中心に回動することによって開閉するため、前扉２を開放した際に前扉２前面が遊技機１側面方向に対して突出する量を減少することができる。また、蝶番４に前扉２の開閉に伴い係脱する係合部を備えることにより、前扉２閉鎖時において不正に開放されることを防止できる。【選択図】  図１
2005160981.tif 000002
【特許請求の範囲】
【請求項１】
遊技機の前扉を開閉可能に支持する蝶番であって、該蝶番は前記前扉を開閉する回転軸を前記前扉側面部前方側に配置していることを特徴とする遊技機の前扉用蝶番。
【請求項２】
前記蝶番は前記遊技機本体に突出して設けられた突出部の端部に配設されていることを特徴とする請求項１記載の遊技機の前扉用蝶番。
【請求項３】
前記蝶番は、前記前扉の開閉に伴い係脱する係合部を備えていることを特徴とする請求項１または２記載の遊技機の前扉用蝶番。
【請求項４】
前記係合部は、前記前扉を開放した状態において前記蝶番は分離可能であり、前記前扉を閉鎖した状態において前記蝶番は分離不能であることを特徴とする請求項３に記載の遊技機の前扉用蝶番。
【発明の詳細な説明】
【技術分野】
【０００１】  本発明はパチンコ、スロットマシン等の遊技機の正面に開閉可能に取付けられる遊技機用前扉に関する。
【背景技術】
【０００２】  従来、遊技機の正面には、前扉を開閉可能に取り付けられ、前扉の前面にはスタートレバーやベットボタン、ストップボタン、コイン投入口などの遊技を行うための機器が配置されたコントロールパネルを備えている。また、前扉は蝶番を介して遊技機の本体開口端に開閉可能に取り付けられている。ここで、遊技機に備えられた蝶番は一部分離可能構造を供え、分離可能な蝶番の一部分は前扉の背面側端部に配設され、蝶番の他の部分は遊技機本体に配設されている。（例えば、特許文献１参照。）このような従来の遊技機では、前扉は略鉛直方向に配設された蝶番の回転軸を中心に略水平方向に回動することにより開閉され、遊技機の修理や保守等の際には、前扉を開き、遊技機内部に配置されたコイン払い出し装置や制御装置等の機器の操作を行っている。
【特許文献１】  特許２５２５６３４号公報（図３）
【発明の開示】
【発明が解決しようとする課題】
【０００３】  しかしながら、他の遊技機との差別化を図るために、遊技機の前扉のデザインは複雑・多様化し、凹凸形状を大きくすることによる意匠性及び操作性の向上、演出装置を設置するための空間の確保などを目的として、コントロールパネルの厚みは増す方向にある。【０００４】  その一方で、コントロールパネルの厚みが増すと、前扉の厚み方向の回転半径が大きくなり前扉を開いた時に遊技機の幅方向へ前扉の厚み方向の突出量が大きくなるため、隣に設置された遊技機またはコイン貸出装置等の装置と接触してしまうという問題が発生する。また、遊技機を設置する遊技場の営業時間内において突発的な不具合の対応を行う際には、前扉を開くことにより隣設する遊技機を操作している遊技者に対して圧迫感や不快感を与えることとなっていた。【０００５】  そのため、これまでは、遊技機と両隣の遊技機との間に十分にスペースを設け、遊技機の前扉を開く際に隣の遊技機に対して干渉したり、隣の遊技者に対して不快感を与えることがないようにされている。なお、そのスペースには、コイン貸出装置が設置されることもある。【０００６】  しかしながら、コイン貸出装置が設置されているとしても、１台の遊技機に１台のコイン貸出装置が必要であるわけではなく、２台の遊技機の間に１台のコイン貸出装置があればよい。したがって、遊技機を両隣の遊技機と十分なスペースを空けて設置することによって、遊技機を１台設置するためのスペースが大きく必要になるため、遊技場内に設置できる遊技機数が減少することとなっている。【０００７】  また、従来のような蝶番を一部分離可能な構成とする遊技機においては、蝶番を分離可能な構成としたことにより、何らかの原因により蝶番が分離してしまうことがある。この場合、不意に前扉が遊技機から外れてしまう可能性があった。また、これを利用して不正に前扉を開放されてしまうおそれがあった。そこで、蝶番が分離して前扉が外れてしまうことを防止するために、別途蝶番ストッパを設ける必要があった。【０００８】  本発明は上記課題を解決したもので、遊技機の前扉を開放する際にコントロールパネルが遊技機の幅方向に突出し、隣に設置された遊技機に対して接触・干渉することのない遊技機の前扉用蝶番を提供する。
【課題を解決するための手段】
【０００９】  上記技術的課題を解決するために、本発明の請求項１において講じた技術的手段（以下、第１の技術的手段と称する。）は、前扉を蝶番によって開閉可能に本体に支持する遊技機であって、該蝶番は前記前扉を開閉する回転軸を前記前扉側面部前方側に配置していることを特徴とする遊技機である。【００１０】  上記第１の技術的手段による効果は、以下の通りである。前扉を蝶番によって開閉可能に本体に支持する遊技機において、蝶番の回転軸を前扉の側面部前方側に配置することによって、この回転軸を中心として前扉を開閉することが可能となる。これにより、前扉の厚み方向に関して前扉の回転半径を小さくでき、前扉を開放した際に前扉が遊技機の幅方向に突出する量を減少した遊技機を提供することが可能となる。【００１１】  上記技術的課題を解決するために、本発明の請求項２において講じた技術的手段（以下、第２の技術的手段と称する。）は、前記蝶番は前記遊技機本体に対して突出して設けられたことを特徴とする請求項１記載の遊技機である。【００１２】  上記第２の技術的手段による効果は、以下の通りである。蝶番が遊技機本体に対して突出して配設されていることによって、蝶番の回転軸は前扉の側面部に配設されるので、この回転軸を中心として前扉を開閉することが可能となる。これにより、前扉を開放した際に前扉が遊技機の幅方向に突出する量を減少した遊技機を提供することが可能となる。【００１３】  上記技術的課題を解決するために、本発明の請求項３において講じた技術的手段（以下、第３の技術的手段と称する。）は、前記蝶番は、前記前扉の開閉に伴い係脱する係合部を備えていることを特徴とする請求項１または２記載の遊技機である。【００１４】  上記第３の技術的手段による効果は、以下の通りである。前記蝶番は、前扉の開閉に伴って係脱する係合部を備えることにより、遊技機から前扉を取り外す際に係合部の係合を解除することが必要となる。これにより、前扉を取り外すためには係合部の係合が解除される所定の位置に扉を回動する必要があるので、前扉閉鎖時に不正な方法によって前扉が開放されることを防止することができる。【００１５】  上記技術的課題を解決するために、本発明の請求項４において講じた技術的手段（以下、第４の技術的手段と称する。）は、前記遊技機は、前記前扉を開放した状態において前記蝶番は分離可能であり、前記前扉を閉鎖した状態において前記蝶番は分離不能であることを特徴とする請求項３に記載の遊技機である。【００１６】  上記第４の技術的手段による効果は、以下の通りである。前記蝶番は、前扉を開放した状態において分離可能であり閉鎖した状態において分離不能である係合部を備えることにより、遊技機から前扉を取り外す際には前扉を開放することが必要となる。これにより、前扉閉鎖状態において不正な方法によって前扉が開放されることを防止することができる。また、前扉を閉鎖した状態において、前扉は遊技機から分離不能であるから、蝶番が外れることを防止するための蝶番ストッパが不要となる。
【発明の効果】
【００１７】  以上のように、本発明は、前扉を蝶番によって開閉可能に本体に支持する遊技機であって、前記蝶番は前記前扉を開閉する回転軸を前扉側面部前方側に配置しているので、前扉は蝶番の回転軸を中心に回動することによって開閉するため、前扉の厚み方向に関して前扉の回転半径を小さくすることにより、前扉を開放した際に前扉前面が遊技機側面方向に対して突出する量を減少することができる。したがって、前扉を開放した際に隣の遊技機に干渉することが無く、これにより隣で遊技機を操作している遊技者に対して不快感を与えることの無い遊技機を提供することができる。また、蝶番に前扉の開閉に伴い係脱する係合部を備えることにより、前扉閉鎖時において不正に開放することを防止できる。
【発明を実施するための最良の形態】
【００１８】  以下、本発明の実施例について、図面に基づいて説明する。【００１９】  図１および図２は、本発明に係る遊技機１の構成を示したものであり、図１は前扉２を開放した状態、図２は前扉２を閉鎖した状態における遊技機１の上面図である。【００２０】  遊技機１は、遊技機を操作するためのコントロールパネルを備える前扉２と、前面に開口部を備える本体３と備えており、前扉２は蝶番４を介して本体３に連結される。前扉２は本体３の開口部を被覆するように設けられ、錠装置５により本体３の開口を閉鎖して固定される。また、前扉２は、側面２ａの前方側に設けられた蝶番４を介して本体３に枢支されており、前扉２は蝶番４により本体３に対して相対回動可能な構成となっている。【００２１】  前扉２は、遊技機１を操作する遊技者に対面し、遊技者に対面する前面には、遊技を行うためのレバーまたはボタンが配置されたコントロールパネルと、遊技機内１の本体３に納められたリール（図示しない）を遊技者に表示するための透過窓と、遊技機の視覚的演出を行う演出装置と、遊技を行うためにコインを投入するコイン投入口とを備え、前扉２の裏面には前扉２の前面に形成されたコイン投入口に対向する位置にコイン投入口から投入されたコインを識別するコインセレクタを備えている。前扉２下部には遊技機１から払い出されたコインを貯留するコイン受け皿３５を備えている。また、前扉２の側面２ａ前方側には後述する蝶番４が配設され、前扉２は蝶番４を介して本体３に取り付けられる。【００２２】  本体３は、前面に開口部を備える略直方体状の箱体であり、開口部側端には前方に突出して突出部３１が配設される。突出部３１の端部には蝶番４が配設され、本体３は蝶番４を介して前扉２を回動可能に軸支する。また、本体３内部には、図示しないが、遊技によって回動し抽選結果を表示するリールと、コイン投入口から投入されたコインを貯留するコインホッパーと、抽選結果にしたがってコインホッパーからコインを払い出すコイン送出装置と、リールやコイン送出装置などの制御を行う制御装置を備えている。ここで、リールは前扉２に配設された透過窓に対面するように配置されており、遊技者が透過窓を通してリールを視認することができる。また、コイン送出装置はコイン投入口から投入されたコインを受入れ内部に貯留するコインホッパー下部に設けられ、コインホッパーに貯留したコインを制御装置の指示に従ってコインシュート３７を通してコイン受け皿３５に払い出すように配置されている。【００２３】  蝶番４は、２枚の平板状部材を成形してなる取付部材４２、４４を回転軸４１により連結して構成され、一方の取付部材４２は他方の取付部材４４に対して回転軸４１周りに相対回動可能となっている。また、蝶番４の一方の取付部材４２は前扉２の側面２ａの前方側に、他方の取付部材４４は本体３の突出部３１に固定し回転軸４１を略鉛直方向に軸支している。これにより前扉２は回転軸４１を中心に回動することにより開閉可能である。また、本体３の側面に配設された突出部３１に固定される他方の取付部材４４は、取付部材４２に対して幅広の部材であり、本体３の側面前端から前方に突出して配置され、前扉２の回動軸を遊技機１の前面に配置する構造となっている。【００２４】  なお、図３の状態において、遊技機１の前扉２は開放状態であり本体３、前扉２は蝶番４を介して本体３に対して略垂直に配置されている。また、図４の状態において、遊技機１の前扉２は閉鎖状態であり本体３、前扉２は蝶番４を介して本体３に対して略平行に配置され、前扉２は本体３の開口部を閉鎖している。【００２５】  前扉２に配設される取付部材４２には複数の突出部材４３が前扉２に対して垂直に突出形成される。また、突出部材４３の先端にはそれぞれ係合孔４３ａが形成され、回転軸４１に係合して回転軸４１を中心に回動可能である。【００２６】  取付部材４４は、回転軸４１を軸支する軸支部４５と、回転軸４１の軸方向に垂直な方向に形成された複数の係合溝４６とを備えており、本体３前方に突出形成された突出部３１に配設される。ここで、図３に示すように、軸支部４５は下部に底面を備える円筒状の部材であり、円筒内面には回転軸４１を嵌合可能となっている。蝶番４の回転軸４１は、取付部材４４の軸支部４５に嵌合し略鉛直方向に一部突出して配設される。また、回転軸４１は、取付部材４２に突出形成された軸受け部４３に嵌合し、これにより前扉２は本体３に回動可能に取り付けられる。【００２７】  取付部材４４に形成される係合溝４６は、軸受け４５の上端に沿って形成され、図３の状態から取付部材４２を取付部材４４に対して回転軸４１を中心に反時計回りに９０度相対回動すると、図４に示すように、係合部をなす突出部材４３と係合溝４６とは係合し、これにより取付部材４２は取付部材４４に対して回転軸４１の軸方向への相対移動することを制限され、蝶番４は係合状態となる。蝶番４の係合状態では、係合溝４６は取付部材４２に形成された突出部材４３と係合し係合部の係合状態となる。また、係合溝４６の溝幅は、突出部材４３の厚さより大きく、かつ回転軸４１が軸支部４５から突出する量と突出部材４３の厚さとの和より小さく設定され、突出部材４３と係合溝４６とが係合した状態において、突出部材４３が回転軸４１の軸方向へ移動可能な範囲が限られるため、取付部材４２と回転軸４１との嵌合が外れないようになされている。【００２８】  錠装置５は、前扉２後端部に配設される係止部材５１と、係止部材５１に対面して本体３に設けられる被係止部材５２とを備え、前扉２の閉鎖時において係止部材５１が被係止部材５２に係止することにより遊技機１の閉鎖状態が保持される。【００２９】  遊技機１は以上のような構造を備え、前扉２は蝶番４を介して本体３に軸支され、前扉２を閉じた時には前扉２が本体３の開口部を被覆すると共に、前扉２の閉鎖時には錠装置５が係合し前扉２を閉鎖状態に保持する。【００３０】  ここで、本実施例の遊技機１の作動について説明する。図１に示す前扉２開放状態においては、取付部材４２および取付部材４４は図３に示されるように配置され、また、図２に示す前扉２閉鎖状態においては、取付部材４２および取付部材４４は図３に示されるように配置されている。【００３１】  まず、前扉２が本体３に対して閉鎖している状態において説明を行う。図２に示すように、前扉２を閉鎖した状態においては、前扉２の後面は本体３の前面にほぼ平行に��置されており、前扉２に配設された錠装置５の係止部材５１が、本体３に配設された錠装置５の被係止部材５２に係止することによって、本体３の開口部を閉鎖して遊技機１の閉鎖状態を保持している。【００３２】  ここで、蝶番４の取付部材４２と取付部材４４とは係合状態にあり、突出部材４３と係合溝４６とが係合しているため、取付部材４２を取付部材４４に対して相対的に上方に移動させても、取付部材４２と取付部材４４との係合を解除するとはできない。即ち、前扉２閉鎖状態において前扉２は遊技機１から取り外すことはできないこととなる。【００３３】  次に、前扉２を本体３に対して開放した状態について説明を行う。図１に示すように、前扉２を開放した状態においては、前扉２の後面は本体３の前面に対して略垂直な方向に配設されている。前扉２開放状態において、蝶番４は図３に示すように突出部材４３と係合溝４６との係合が解除されており、取付部材４２を取付部材４４に対して上方に相対移動することが可能であり、これにより回転軸４１と突出部材４３との嵌合を解除し、蝶番４を分解することができる。即ち、前扉２開放状態において前扉２は遊技機１への取付け及び取り外しを自由に行うことが可能である。【００３４】  ここで、蝶番４の取付部材４２と取付部材４４とは非係合状態にあり、突出部材４３と係合溝４６とは係合していないため、取付部材４２を取付部材４４に対して相対的に上方に移動させ、取付部材４２と取付部材４４との係合を解除するとが可能である。即ち、前扉２開放状態において前扉２は遊技機１から取り外すことが可能となる。【００３５】  ここで、遊技機１を前扉２閉鎖状態から開放状態とするためには、錠装置５の係止部材５１と被係止部材５２の係合を解除する必要があり、さらに前扉２が蝶番４を中心に回動することにより開放状態となる。このとき、前扉２の回動中心は前扉２の側面に取り付けられた蝶番４の回転軸４１であるため、前扉２を開放した際に前扉２が遊技機１の幅方向に突出する量を小さくできる。【００３６】  また、前扉２を開放した状態から閉鎖する場合は、図１に示す状態から前扉２を蝶番４の回転軸を中心に本体３側へ回動する。そして、前扉２と本体３とに設けられた錠装置５の係止部材５１と被係止部材５２とが係合することにより図２に示す状態となり、前扉２は閉鎖される。【００３７】  ここで、前扉２を閉鎖状態から開放状態とする際における蝶番４の作動について説明する。図１に示す前扉２開放状態において、取付部材４２を取付部材４４に対して回転軸４１を中心として反時計回りに９０度相対回動すると、図４に示すように、突出部材４３が係合溝４６に係合し、図２に示す前扉２閉鎖状態となる。このとき回転軸４１の軸方向に関して、係合溝４６の溝幅は、突出部材４３の厚さより大きく、かつ回転軸４１が軸支部４５から突出する量と突出部材４３の厚さとの和より小さく設定されており、突出部材４３の係合孔４３ａと回転軸４１との嵌合が外れることはない。即ち、突出部材４３を係合溝４６に係合した状態において、取付部材４２を取付部材４４に対して回転軸４１の軸方向に相対移動した場合、突出部材４３は回転軸４１と嵌合したまま係合溝４６の一端に当接し、それ以上相��移動することができなくなるので、取付部材４２と取付部材４４との嵌合状態が保持される。【００３８】  したがって、図４の状態に示す前扉２閉鎖状態において、突出部材４３及び取付部材４２が回転軸４１の軸方向への移動することは制限されるので、取付部材４２は取付部材４４に係合された状態が保持される。これにより、前扉２閉鎖状態において、前扉２は遊技機１から取り外し不能となる。【００３９】  以上のように、本実施例の遊技機１によれば、前扉２を本体３に対して回動可能に支持する蝶番４を前扉２側面部前方側に配置することにより、前扉２を開閉する際に前扉２が蝶番４の回転軸４１を中心に回動することにより前扉２を開閉することが可能となる。これによって、前扉の厚み方向に関して前扉の回転半径を小さくして、前扉２開放時において前扉２が遊技機２側面方向に突出する量を減少することができ、前扉２が隣に配置された遊技機に干渉することを防止できる。また、蝶番４に前扉２の閉鎖に伴って係合する係合部を備えることにより、前扉２閉鎖状態において前扉２を不正に開放されることを防止できる。【００４０】  なお、本実施例においては、取付部材４２に設けた突出部材４３には回転軸４１に嵌合する係合孔４３ａが形成され、さらに突出部材４３と係合溝４６とが係合し係合部をなす構成としたが、これに限らず、回転軸４１に嵌合する部材と係合溝４６に係合する部材とは、別体として設けることも可能である。【００４１】  また、本実施例においては、蝶番４は本体３に配設された突出部３１の端部に配設される構成としたが、これに限らず、蝶番４の取付部材４４と本体３の突出部３１とを一体とし、これを本体３に突出して配設する構成とすることも可能である。
【図面の簡単な説明】
【００４２】
【図１】前扉を開放した状態における遊技機１の構成を示す上面図である。
【図２】前扉を閉鎖した状態における遊技機１の構成を示す上面図である。
【図３】前扉を開放した状態における蝶番４の構成図である。
【図４】前扉を閉鎖した状態における蝶番４の構成図である。
【符号の説明】
【００４３】１…遊技機
２…前扉
３…本体
３１…突出部
４…蝶番
４１…回転軸
４２…取付部材
４４…取付部材
４３…突出部材（係合部）
４６…係合溝（係合部）
【図１】
2005160981.tif 000003
【図２】
2005160981.tif 000004
【図３】
2005160981.tif 000005
【図４】
2005160981.tif 000006